(57)【特許請求の範囲】
【請求項１】
ホログラムを書き換え可能な表示装置に表示し、
前記表示装置に非散乱光を照射し、
非散乱光と前記表示装置からの散乱光とを同時にフォトリフラクティブ結晶に照射し、
前記フォトリフラクティブ結晶内部に、前記非散乱光と前記散乱光との干渉縞を記録し、
その後、非散乱光のみを前記フォトリフラクティブ結晶に照射し、
前記記録した干渉縞から像を再生することにより立体映像を表示する立体映像表示方法において、
前記表示装置とフォトリフラクティブ結晶との間、及び前記フォトリフラクティブ結晶と観察者との間にシャッターを設置し、
前記フォトリフラクティブ結晶に干渉縞を記録している間は、前記表示装置とフォトリフラクティブ結晶との間に設置したシャッターを開き、前記フォトリフラクティブ結晶と観察者との間に設置したシャッターを閉じ、
前記記録した干渉縞から像を再生するときは、前記表示装置とフォトリフラクティブ結晶との間に設置したシャッターを閉じ、前記フォトリフラクティブ結晶と観察者との間に設置したシャッターを開いて立体映像を表示する
ことを特徴とする立体映像表示方法。
【請求項２】
前記フォトリフラクティブ結晶に干渉縞を記録している間に、
前記表示装置に複数のホログラムを順次表示する
ことを特徴とする請求項１に記載の立体映像表示方法。
【請求項３】
前記フォトリフラクティブ結晶に干渉縞を記録している間に、
前記表示装置に複数のホログラムを時分割で表示し、
前記ホログラムの表示に同期させて、前記表示装置からの散乱光の前記フォトリフラクティブ結晶への照射位置を変化させる
ことを特徴とする請求項１または２に記載の立体映像表示方法。
【請求項４】
光源と、
該光源から照射される光を２つの光路に分割する光路分割手段と、
該光路分割手段で分割された一方の光が照射されるホログラムを表示する書き換え可能な表示手段と、
該表示手段からの反射光及び前記光路分割手段で分割された他方の光が照射されるフォトリフラクティブ結晶と、
該フォトリフラクティブ結晶に前記表示手段からの反射光と前記光路分割手段で分割された他方の光をそれぞれ異なる入射角で照射する照射手段と、
前記表示手段とフォトリフラクティブ結晶との間に設置され、前記フォトリフラクティブ結晶に干渉縞を記録している間は開き、前記記録した干渉縞から像を再生するときは閉じる第一のシャッターと、
前記フォトリフラクティブ結晶と観察者との間に設置され、前記フォトリフラクティブ結晶に干渉縞を記録している間は閉じ、前記記録した干渉縞から像を再生するときは開く第二のシャッターと
を具備することを特徴とする立体映像表示装置。
【請求項５】
光源と、
該光源から照射される光を２つの光路に分割する光路分割手段と、
該光路分割手段で分割された一方の光が照射されるホログラムを表示する書き換え可能な表示手段と、
該表示手段からの反射光及び前記光路分割手段で分割された他方の光が照射されるフォトリフラクティブ結晶と、
該フォトリフラクティブ結晶に前記表示手段からの反射光と前記光路分割手段で分割された他方の光をそれぞれ異なる入射角で照射する照射手段と、
前記表示手段とフォトリフラクティブ結晶との間に設置され、前記フォトリフラクティブ結晶に干渉縞を記録している間は開き、前記記録した干渉縞から像を再生するときは閉じる第一のシャッターと、
前記フォトリフラクティブ結晶と観察者との間に設置され、前記フォトリフラクティブ結晶に干渉縞を記録している間は閉じ、前記記録した干渉縞から像を再生するときは開く第二のシャッターと
を備えた立体表示装置であって、
前記表示手段からの反射光をフォトリフラクティブ結晶上へ照射する際に、その照射位置を制御する照射位置制御手段を具備する
ことを特徴とする立体映像表示装置。
【請求項６】
ホログラムを書き換え可能な表示装置に表示し、
前記表示装置に非散乱光を照射し、
非散乱光と前記表示装置からの散乱光とを同時に結晶に照射し、
前記結晶内部に、前記非散乱光と前記散乱光との干渉縞を記録し、
その後、非散乱光のみを前記フォトリフラクティブ結晶に照射し、
前記記録した干渉縞から像を再生することにより立体映像を表示する処理手順をコンピュータに実行させるためのプログラムを記録したコンピュータ読み取り可能な記録媒体において、
前記結晶に干渉縞を記録している間は、前記表示装置と前記結晶との間に設置した第一のシャッターを開き、前記結晶と観察者との間に設置した第二のシャッターを閉じ、
前記記録した干渉縞から像を再生するときは、前記表示装置と前記結晶との間に設置した前記第一のシャッターを閉じ、前記結晶と観察者との間に設置した前記第二のシャッターを開いて立体映像を表示する処理手順
をコンピュータに実行させるためのプログラムを記録したコンピュータ読み取り可能な記録媒体。
【請求項７】
ホログラムを書き換え可能な表示装置に表示し、
前記表示装置に非散乱光を照射し、
非散乱光と前記表示装置からの散乱光とを同時に結晶に照射し、
前記結晶内部に、前記非散乱光と前記散乱光との干渉縞を記録し、
その後、非散乱光のみを前記フォトリフラクティブ結晶に照射し、
前記記録した干渉縞から像を再生することにより立体映像を表示する処理手順をコンピュータに実行させるためのプログラムを記録したコンピュータ読み取り可能な記録媒体において、
前記結晶に干渉縞を記録している間は、前記表示装置と前記結晶との間に設置した第一のシャッターを開き、前記結晶と観察者との間に設置した第二のシャッターを閉じ、
前記記録した干渉縞から像を再生するときは、前記表示装置と前記結晶との間に設置した前記第一のシャッターを閉じ、前記結晶と観察者との間に設置した前記第二のシャッターを開いて立体映像を表示する処理手順と、
前記結晶に干渉縞を記録している間に、前記表示装置に複数のホログラムを順次表示する処理手順と
をコンピュータに実行させるためのプログラムを記録したコンピュータ読み取り可能な記録媒体。
【発明の詳細な説明】
【０００１】
【発明の属する技術分野】
本発明は、３次元物体を立体的に表示する立体映像表示方法、装置、及びその制御プログラムを記録した記録媒体に関し、特に、書き換え可能な表示装置を用いて物体から来る光をフォトリフラクティブ結晶（素子）に照射し、フォトリフラクティブ結晶内部に、光の干渉縞を記録し、再生することにより、３次元物体を立体的に表示する立体映像表示技術に適用して有効な技術に関するものである。
【０００２】
【従来の技術】
従来、立体的に物体を表示する方法として、立体視を応用した方法、ホログラムを用いた方法などがある。前者の立体視の方法では、左右の眼で観察される映像を別々に眼に投射する方法であり、観察者のみ表示対象物を立体的に観察することができる。
後者のホログラムによる方法は、物体から反射してくる光の波面をそのまま再現する方法であり、立体表示の方法としてはもっとも理想的で、両眼視差、ピント調節を実物の観察と変わりなく行うことができる。
【０００３】
【発明が解決しようとする課題】
人間が物体を立体的に知覚する大きな要因は、両眼視差とピント調節が挙げられる。前者の立体視の方法では、眼のピントは、常に映像が投射されているスクリーンに合っているため、両眼視差による物体の飛び出し効果と反して、ピント位置が固定であるため、長時間の観察による眼精疲労が避けられないという問題があった。
【０００４】
前記ホログラムによる方法では、ホログラムを記録するためには、光の回折現象を再現する必要があるため、１ミリあたり数千本という縞を記録できる必要がある。そのため、これまで、ホログラムはあくまで写真としての立体表示方法であった。
【０００５】
ホログラムを動画として表示する方法として、液晶パネルを用いた方法が提案されているが、液晶パネルの表示可能な解像度（空間周波数）は、ホログラム表示には十分でない。解像度が低く、表示可能な濃淡値が制約されるため、実際のホログラムの様な複雑な縞を表示するには未だ十分ではない。そのため、これら電子デバイスを用いてホログラムを表示しようとすると、小さな、少数の物体（点光源）しか表示することができていないという問題があった。
また、解像度が粗いために、液晶パネルを直接透過する光と回折光との分離がむずかしく、観察域が狭いという問題があった。
【０００６】
本発明の目的は、解像度に限界のある電子装置（電子デバイス）を用いた立体映像表示手段において、視野の広い、立体映像を再生することが可能な技術を提供することにある。
本発明の前記ならびにその他の目的と新規な特徴は、本明細書の記述及び添付図面によって明らかにする。
【０００７】
【課題を解決するための手段】
本願において開示される発明のうち、代表的なものの概要を簡単に説明すれば、下記の通りである。
（１）ホログラムを書き換え可能な表示装置（表示電子デバイス）に表示し、前記表示装置に非散乱光を照射し、非散乱光と前記表示装置からの散乱光とを同時にフォトリフラクティブ結晶に照射し、前記フォトリフラクティブ結晶内部に、前記非散乱光と前記散乱光との干渉縞を記録し、その後、非散乱光のみを前記フォトリフラクティブ結晶に照射し、前記記録した干渉縞から像を再生することにより立体映像を表示する立体映像表示方法において、前記表示装置とフォトリフラクティブ結晶との間、及び前記フォトリフラクティブ結晶と観察者との間にシャッターを設置し、前記フォトリフラクティブ結晶に干渉縞を記録している間は、前記表示装置とフォトリフラクティブ結晶との間に設置したシャッターを開き、前記フォトリフラクティブ結晶と観察者との間に設置したシャッターを閉じ、前記記録した干渉縞から像を再生するときは、前記表示装置とフォトリフラクティブ結晶との間に設置したシャッターを閉じ、前記フォトリフラクティブ結晶と観察者との間に設置したシャッターを開いて立体映像を表示する立体映像表示方法である。
【０００８】
（２）前記フォトリフラクティブ結晶に干渉縞を記録している間に、前記表示装置に複数のホログラムを順次表示する立体映像表示方法である。
【００１０】
（３）前記フォトリフラクティブ結晶に干渉縞を記録している間に、前記表示装置に複数のホログラムを時分割で表示し、前記ホログラムの表示に同期させて、前記表示装置からの散乱光の前記フォトリフラクティブ結晶への照射位置を変化させる立体映像表示方法である。
【００１１】
（４）光源と、該光源から照射される光を２つの光路に分割する光路分割手段と、該光路分割手段で分割された一方の光が照射されるホログラムを表示する書き換え可能な表示手段と、該表示手段からの反射光及び前記光路分割手段で分割された他方の光が照射されるフォトリフラクティブ結晶と、該フォトリフラクティブ結晶に前記表示手段からの反射光と前記光路分割手段で分割された他方の光をそれぞれ異なる入射角で照射する照射手段と、前記表示手段とフォトリフラクティブ結晶との間に設置され、前記フォトリフラクティブ結晶に干渉縞を記録している間は開き、前記記録した干渉縞から像を再生するときは閉じる第一のシャッターと、前記フォトリフラクティブ結晶と観察者との間に設置され、前記フォトリフラクティブ結晶に干渉縞を記録している間は閉じ、前記記録した干渉縞から像を再生するときは開く第二のシャッターとを具備する立体映像表示装置である。
【００１２】
（５）光源と、該光源から照射される光を２つの光路に分割する光路分割手段と、該光路分割手段で分割された一方の光が照射されるホログラムを表示する書き換え可能な表示手段と、該表示手段からの反射光及び前記光路分割手段で分割された他方の光が照射されるフォトリフラクティブ結晶と、該フォトリフラクティブ結晶に前記表示手段からの反射光と前記光路分割手段で分割された他方の光をそれぞれ異なる入射角で照射する照射手段と、前記表示手段とフォトリフラクティブ結晶との間に設置され、前記フォトリフラクティブ結晶に干渉縞を記録している間は開き、前記記録した干渉縞から像を再生するときは閉じる第一のシャッターと、前記フォトリフラクティブ結晶と観察者との間に設置され、前記フォトリフラクティブ結晶に干渉縞を記録している間は閉じ、前記記録した干渉縞から像を再生するときは開く第二のシャッターとを備えた立体表示装置であって、前記表示手段からの反射光をフォトリフラクティブ結晶上へ照射する際に、その照射位置を制御する照射位置制御手段を具備する。
【００１３】
（６）ホログラムを書き換え可能な表示装置に表示し、前記表示装置に非散乱光を照射し、非散乱光と前記表示装置からの散乱光とを同時に結晶に照射し、前記結晶内部に、前記非散乱光と前記散乱光との干渉縞を記録し、その後、非散乱光のみを前記フォトリフラクティブ結晶に照射し、前記記録した干渉縞から像を再生することにより立体映像を表示する処理手順をコンピュータに実行させるためのプログラムを記録したコンピュータ読み取り可能な記録媒体において、前記結晶に干渉縞を記録している間は、前記表示装置と前記結晶との間に設置した第一のシャッターを開き、前記結晶と観察者との間に設置した第二のシャッターを閉じ、前記記録した干渉縞から像を再生するときは、前記表示装置と前記結晶との間に設置した前記第一のシャッターを閉じ、前記結晶と観察者との間に設置した前記第二のシャッターを開いて立体映像を表示する処理手順をコンピュータに実行させるためのプログラムを記録したコンピュータ読み取り可能な記録媒体である。
（７）ホログラムを書き換え可能な表示装置に表示し、前記表示装置に非散乱光を照射し、非散乱光と前記表示装置からの散乱光とを同時に結晶に照射し、前記結晶内部に、前記非散乱光と前記散乱光との干渉縞を記録し、その後、非散乱光のみを前記フォトリフラクティブ結晶に照射し、前記記録した干渉縞から像を再生することにより立体映像を表示する処理手順をコンピュータに実行させるためのプログラムを記録したコンピュータ読み取り可能な記録媒体において、前記結晶に干渉縞を記録している間は、前記表示装置と前記結晶との間に設置した第一のシャッターを開き、前記結晶と観察者との間に設置した第二のシャッターを閉じ、前記記録した干渉縞から像を再生するときは、前記表示装置と前記結晶との間に設置した前記第一のシャッターを閉じ、前記結晶と観察者との間に設置した前記第二のシャッターを開いて立体映像を表示する処理手順と、前記結晶に干渉縞を記録している間に、前記表示装置に複数のホログラムを順次表示する処理手順とをコンピュータに実行させるためのプログラムを記録したコンピュータ読み取り可能な記録媒体である。
【００１４】
ここで、書き換え可能な表示装置（表示電子デバイス）とは、例えば、液晶パネルなどがある。一般にこれら表示電子デバイスの解像度はホログラムを表示するには、かなり粗いため、写真のホログラムのようなクリアな再生像を再現することができない。つまり、ｏｎ−ａｘｉｓ型のホログラムしか再現できないのが現状である。
【００１５】
前記（１）の手段では、フォトリフラクティブ結晶に記録することで、表示電子デバイスで再現したｏｎ−ａｘｉｓ型ホログラムを、ｏｆｆ−ａｘｉｓ型のホログラムに変換して再生することができるようになる。つまり、ホログラム（表示電子デバイス）を直接透過した光が眼に入らない表示対象物のみをクリアに再生することが可能となる。
【００１６】
前記ｏｎ−ａｘｉｓ型ホログラムとｏｆｆ−ａｘｉｓ型のホログラムとの違いは、物体光と参照光（非散乱光）が同じ光軸にあるか否かである。フォトリフラクティブ結晶に干渉縞を記録する際は、物体光と参照光の光軸が異るので、ｏｆｆ−ａｘｉｓ型となる。ｏｎ−ａｘｉｓ型とｏｆｆ−ａｘｉｓ型の違いは、ｏｎ−ａｘｉｓ型に比べｏｆｆ−ａｘｉｓ型は空間周波数の高い縞を記録する必要がある。そのため、ＬＣＤ等の空間周波数の低い表示装置ではｏｆｆ−ａｘｉｓ型の表示ができない。
【００１７】
一方、フォトリフラクティブ結晶は、ホログラム乾板以上の記録密度を有する（つまり、非常に高い空間周波数の記録が可能である）ため、ｏｆｆ−ａｘｉｓ型の記録が可能となる。
【００１８】
ｏｎ−ａｘｉｓ型では、物体光と参照光が同時に眼に入るため、物体を観察できる領域が非常に狭くなる（実際、参照光のすぐ脇に物体の像が見える程度である）。一方、ｏｆｆ−ａｘｉｓ型では、参照光は視域の外に出てしまうから物体光のみを観察することが可能となる。
【００１９】
また、これらの表示電子デバイスは、高速に書き換え可能であり、画像として保持されているホログラムの画像列を順次表示できることになる。しかし、これら表示電子デバイスは、表示可能な濃淡値つまりダイナミックレンジに限界がある。そのため、同時に表示可能な物体（例えば点光源の数）が少数に制約されてしまう。
【００２０】
前記（２）の手段では、一度に表示可能な物体数が少ないとしても、少数の物体に対応したホログラムを、時分割で複数表示している。つまり、時間方向に積算するようにすることで、多数の物体を多重表示していることになる。一方、参照光との干渉縞の記録に使用しているフォトリフラクティブ結晶は、多重記録が可能な素子である。つまり、先に述べたように、複数の物体を表現するホログラム画像列の表示により得られた散乱光は、結晶内部で非散乱光との干渉縞として多重記録されることになる。
そして、多重記録された結果のみを、シャッターを開口して観察するようにしている。そのため、表示電子デバイスのダイナミックレンジが低いとしても、高解像度の像（複数物体）を、結晶を通して観察することが可能になっている。
【００２２】
前記（３）の手段では、表示電子デバイスの表示面積が少ないとしても、空間的に分割して、それぞれの空間に対応する干渉縞を順次記録している。通常、電子デバイスは、表示する画像のサイズが大きくなると、データ量が膨大になる。そのため、一般的には、動画表示可能な画素数には限界がある。ホログラムの場合、表示画素のピッチが問題となるため、画素数一定で画面を大きくしても、視域の拡大には繋がらず、かえって、像が結像しなくなってしまう。
【００２３】
【発明の実施の形態】
以下、図面を参照して本発明の実施の形態（実施例）を詳細に説明する。
なお、実施の形態を説明するための全図において、同一機能を有するものは同一符号を付け、その繰り返しの説明は省略する。
【００２４】
（実施例１）
図１は、本発明の実施例１の立体映像表示装置の概略構成を示す模式図である。本実施例１の立体映像表示装置は、図１に示すように、ホログラム生成手段１と光学系２により構成される。前記光学系２は、レーザ２０１、ミラー２０２、スペイシャルフィルタ２０３、コリメータレンズ２０４、偏光ビームスプリツタ２０５、反射型液晶（パネル）２０６、ミラー２０７、フォトリフラクティブ結晶（素子）２０８、及びシャッター２０９，２１０で構成されている。
【００２５】
図１において、３は観察者、２２０はレーザビーム、２２１は球面波に変換されたレーザ光、２２２は平面波のレーザ光、２２３は偏光ビームスプリツタを反射した光、２２４は反射型液晶２０６を反射した光、２２５は偏光ビームスプリツタ２０５を透過した光、２２６は参照光（レーザ光２２５がミラー２０７で反射した光）、２２７は反射型液晶２０６を反射して偏光ビームスプリツタを透過した光、２２８はフォトリフラクティブ結晶２０８を透過した物体光である。
【００２６】
本実施例１の立体映像表示装置では、表示装置として、反射型液晶（パネル）２０６を用い、フォトリフラクティブ結晶２０８として、ニオブ酸ストロンチウムバリウム（ＳＢＮ）を用いる。参照光（非散乱光）として、レーザ２０１で発生されるレーザ光を用い、偏光ビームスプリツタ２０５により、レーザ光を２つの光路２２３及び２２５に分配し、偏光ビームスプリツタ２０５を反射した非散乱光（参照光）２２３を反射型液晶２０６に照射する。
【００２７】
以下に、本実施例１の立体映像表示装置の動作を、前記偏光ビームスプリツタ２０５を透過した非散乱光（参照光）２２５をミラー２０７を介してフォトリフラクティブ結晶（以下、単にＳＢＮという）２０８へ照射する参照光２２６として利用できる光学系２を利用して説明する。
【００２８】
図２に示すように、まず、最初に、表示対象物を４つの部品に分割する（ステップ１０１）。例えば、“ＨＯＬＯ”という４文字の物体を表示しようとする場合、“Ｈ”、“Ｏ”、“Ｌ”、“Ｏ”の１文字に分割する。それぞれの部品に関して、それぞれ反射型液晶（パネル）２０６の位置に生成されるホログラムを計算により求め、フレーム（ｆｒａｍｅ）１、フレーム２、フレーム３、フレーム４とする（ステップ１０２）。これらの個々のフレームを順次反射型液晶（パネル）２０６に表示する。このとき、反射型液晶（パネル）２０６を反射した光２２４は、偏光ビームスプリツタ２０５を通過して、ＳＢＮ２０８の方向に進行する。偏光ビームスプリツタ２０５を透過した散乱光２２７は、ＳＢＮ２０８の結晶内部を伝搬していく。このとき、参照光２２６も同時にＳＢＮ２０８の内部を伝搬しているから、参照光２２６と散乱光２２７により発生する停在波（つまり干渉縞）が発生し、その干渉縞がＳＢＮ２０８に記録される。
【００２９】
フレーム１〜４のホログラムを順次反射型液晶（パネル）２０６に表示することにより、４つのフレームに相当する干渉縞がＳＢＮ２０８の内部に多重記録されることになる（ステップ１０４，１０５）。記録している最中は、シャッターＢ２１０が閉じられていて、観察者３は反射型液晶（パネル）２０６を反射した光２２８を直接観察することはない（ステップ１０３）。
【００３０】
前記フレーム１〜４まで、照射したら散乱光（干渉縞）２２７の照射をシャッターＡ２０９により遮断し、参照光２２６のみが照射されるようにし（ステップ１０６）、観察者３は、結晶２０８を通して物体光２２８を見ることになり、物体像、例えば、前記“ＨＯＬＯ”の４文字を知覚することができる（ステップ１０７）。そして、次の物体を表示する場合は、ステップ１０１から繰り返される（ステップ１０８）。
この時、参照光２２６のみを照射する時間を長くするか、あるいは照射強度を強くして、ＳＢＮ２０８に記録されていた干渉縞を消去する。
【００３１】
図３は、照射の順序をタイムシーケンスで表した図である。例えば、フレーム１を０．０３秒液晶パネルに表示し、次の０．０３秒間はフレーム２を表示するというように順次繰り返す。そして、その間同時に参照光（再生光）を照射し続けている。フレーム１〜４までを照射している間は、シャッターＡ２０９は開いていて、シャッターＢ２１０は閉じた状態になっている。そして、フレーム４まで表示した後、０．１２秒の間は参照光のみが照射され、シャッターＡ２０９が閉じられ、シャッターＢ２１０が開いた状態になる。このシーケンスを順次繰り返すことで、フレーム１からフレーム４までの再生像（例えば、“Ｈ”、“Ｏ”、“Ｌ”、“Ｏ”）は多重記録により一つの物体として観察できることになる。
尚、このタイムシーケンスの時間は一例であり、物体数及び表示装置の画像切り替え速度に応じて適宜変更は可能であり、本発明を限定するものではない。
【００３２】
（実施例２）
図４は、本発明の実施例２の立体映像表示装置の概略構成を示す模式図である。本実施例２の立体映像表示装置は、図４に示すように、前記実施例１と同様の光学系２に、さらに、光路変更手段４０１を設けたものである。
すなわち、本実施例２の立体映像表示装置は、前記光路変更手段４０１により、反射型液晶パネルを反射した散乱光４２０に示すようにＳＢＮ２０８の異なる部分に照射するようになる。例えば、ガルパノミラーで、垂直方向に反射光が走査するようにし、ポリゴンミラー等で、水平方向を走査するような、２つのミラーで構成した光路変更手段４０１を用いることで、入射した光を、図５（照射の一例）に示すような９つの異なる場所に照射するようにすることが可能である。
【００３３】
例えば、表示する物体が、９つのホログラムで表現されているとする。このとき、フレーム１に相当する部分に、液晶パネルでフレーム１を照射したときの散乱光が照射されるようにする。以下、同様に、フレーム９までの散乱光（干渉縞）を、ＳＢＮ２０８に記録していく。すべてのフレームの提示が終了したら、前述したステップ１０７により、観察するようにする。
【００３４】
以上、本発明を実施例に基づき具体的に説明したが、本発明は、前記実施例に限定されるのではなく、その要旨を逸脱しない範囲において種々変更し得ることはいうまでもない。
【００３５】
【発明の効果】
以上説明したように、本発明によれば、解像度に限界のある電子表示デバイス等の表示装置を用いて、視野の広い、立体映像を再生することができる。
【図面の簡単な説明】
【図１】本発明の実施例１の立体映像表示装置の概略構成を示す模式図である。
【図２】本実施例１の立体映像表示装置の動作を説明するための流れ図である。
【図３】本実施例１の立体映像表示装置の動作における制御シーケンスの一実施形態を示す図である。
【図４】本発明の実施例２の立体映像表示装置の概略構成を示す模式図である。
【図５】本発明の実施例２の立体映像表示装置のＳＢＮへの照射位置を説明するための図である。
【符号の説明】
１…ホログラム発生手段、２…光学系、３…観察者、２０１…レーザ、２０２…ミラー、２０３…スペイシャルフィルタ、２０４…コリメータレンズ、２０５…偏光ビームスプリツタ、２０６…反射型液晶（パネル）、２０７…ミラー、２０８…フォトリフラクティブ結晶（ＳＢＮ）、２０９，２１０…シャッター、２２０…レーザビーム、２２１…球面波に変換されたレーザ光、２２２…平面波のレーザ光、２２３…偏光ビームスプリツタを反射した光、２２４…液晶を反射した光、２２５…偏光ビームスプリツタを透過した光、２２６…参照光、２２７…液晶を反射して偏光ビームスプリツタを透過した光、２２８…ＳＢＮを透過した物体光、４０１…物体光の光路を変化させる手段、４２０…光路が変更された散乱光。
【図１】
0003583634.tif 000002
【図２】
0003583634.tif 000003
【図３】
0003583634.tif 000004
【図４】
0003583634.tif 000005
【図５】
0003583634.tif 000006